(57)【特許請求の範囲】
【請求項１】
複数の目標に向けて電波を照射し、前記目標で反射された反射波を受信して生成された受信信号にＤＢＳ処理及びディジタルパルス圧縮処理を実施することにより得られた、距離方向およびドップラ方向の各セルに付された値からなる信号処理結果において、
前記複数の目標に対応した、距離方向に広がりがあるセル列を抽出し、
抽出した前記セル列において、距離方向に広がりを有するセルの開始セルと終了セルを検出し、
前記開始セルと前記終了セルに基づきその中心となる中心セルを求め、
前記距離方向に広がりがあるセル列で前記開始セルと前記終了セルの間の各セルにおいてドップラー方向の広がりの有無を調べ、ドップラ方向に広がりがある前記セルのうち前記中心セルに最も近いセルを真の目標と判定する、
ことを特徴とする目標検出方法。
【請求項２】
複数の目標に向けて電波を照射し、前記目標で反射された反射波を受信して生成された受信信号にＤＢＳ処理及びディジタルパルス圧縮処理を実施することにより得られた、距離方向およびドップラ方向の各セルに付された値からなる信号処理結果に対して、
前記複数の目標に対応した、距離方向に広がりがあるセル列を抽出し、
抽出した前記セル列において、距離方向に広がりを有するセルの開始セルと終了セルを検出し、
前記開始セルと前記終了セルに基づきその中心となる中心セルを求め、
前記距離方向に広がりがあるセル列の中で前記開始セルと前記終了セルの間の各セルにおいてドップラー方向の広がりの有無を調べ、ドップラ方向に広がりがある前記セルのうち前記中心セルに最も近いセルを真の目標と判定する、
アルゴリズムを備えた目標検出部を備えることを特徴とする目標検出装置。
【請求項３】
複数の目標に向けて電波を照射し、前記目標で反射された反射波を受信して生成された受信信号にＤＢＳ処理及びディジタルパルス圧縮処理を実施することにより得られた、距離方向およびドップラ方向の各セルに付された値からなる信号処理結果において、
前記複数の目標に対応した、距離方向に広がりがあるセル列を抽出し、
抽出した前記セル列において、距離方向に広がりを有するセルの開始セルと終了セルを検出し、
前記開始セルと前記終了セルに基づきその中心となる中心セルを求め、
前記セル列で前記中心セルの近傍にあるセルのうち最も電力レベルの高いセルを真の目標と判定する、
ことを特徴とする目標検出方法。
【請求項４】
複数の目標に向けて電波を照射し、前記目標で反射された反射波を受信して生成された受信信号にＤＢＳ処理及びディジタルパルス圧縮処理を実施することにより得られた、距離方向およびドップラ方向の各セルに付された値からなる信号処理結果に対して、
前記複数の目標に対応した、距離方向に広がりがあるセル列を抽出し、
抽出した前記セル列において、距離方向に広がりを有するセルの開始セルと終了セルを検出し、
前記開始セルと前記終了セルに基づきその中心となる中心セルを求め、
前記セル列で前記中心セルの近傍にあるセルのうち最も電力レベルの高いセルを真の目標と判定する、
アルゴリズムを備えた目標検出部を備えることを特徴とする目標検出装置。
【発明の詳細な説明】
【技術分野】
【０００１】
この発明は、目標に対して距離、ドップラ（角度）方向に広がりがあり、かつ複数目標の同時観測を行う場合、各広がり上のクロス点をすべて目標として検出せず、広がりの中心に存在するクロス点のみを目標推定値とすることにより検出精度を向上する方法に関するものである。
【背景技術】
【０００２】
一般に、レーダ装置において、上空から電波を送受信して地表面や海上面を観測する際には、目標信号（目標からの反射波）の他に、地表面や海面上のグランドクラッタまたはシークラッタ（以下、単に「クラッタ」という）からの不要な反射波が観測される場合がある。
【０００３】
クラッタ抑圧のための一方法として、ＤＢＳ（Doppler Beam Sharpening）処理などのドップラ高分解能化とパルス圧縮処理等の距離分機能向上アルゴリズムを組み合わせ、クラッタ等の背景情報の反射面積を小さくしその受信レベルを小さくすることで抑圧する方法が知られている。このような処理により観測される、距離とドップラ起因の角度の二次元情報にて目標を検出するには、例えば特許文献に示すような目標の先見情報を用いる方法が知られている（例えば、特許文献１参照）。
【先行技術文献】
【特許文献】
【０００４】
【特許文献１】特開２０１１−２２０８２４号公報
【発明の概要】
【発明が解決しようとする課題】
【０００５】
従来、目標に対して距離、ドップラ（角度）方向に広がりがあり、かつ複数目標の同時観測を行う場合、各広がり上のクロス点をすべて目標として検出し、誤検出してしまうという課題がある（図１１を参照）。
【０００６】
この発明は係る課題を解決するためになされたものであり、目標に対して距離、ドップラ（角度）方向に広がりがあり、かつ複数目標の同時観測を行う場合であっても誤検出を防止して目標検出精度の向上が可能となる目標検出方法を提供することを目的とする。
【課題を解決するための手段】
【０００７】
この発明に係る目標検出方法は、複数の目標に向けて電波を照射し、前記目標で反射された反射波を受信して生成された受信信号にＤＢＳ処理及びディジタルパルス圧縮処理を実施することにより得られた、距離方向およびドップラ方向の各セルに付された値からなる信号処理結果において、前記複数の目標に対応した、距離方向に広がりがあるセル列を抽出し、抽出した前記セル列において、距離方向に広がりを有するセルの開始セルと終了セルを検出し、前記開始セルと前記終了セルに基づきその中心となる中心セルを求め、前記距離方向に広がりがあるセル列で前記開始セルと前記終了セルの間の各セルにおいてドップラー方向の広がりの有無を調べ、ドップラ方向に広がりがある前記セルのうち前記中心セルに最も近いセルを真の目標と判定する。
【発明の効果】
【０００８】
この発明に係る目標検出方法によれば、距離、ドップラ（角度）方向の広がりの特徴量を用いて偽像を判別することができ、目標からの反射波の検出精度の向上を図ることができる。
【図面の簡単な説明】
【０００９】
【図１】この発明の実施の形態１に係る目標検出方法の構成、処理イメージを示す図である。
【図２】この発明の実施の形態１〜４に係る目標検出方法のＤＢＳ処理後の画像イメージの例である。
【図３】この発明の実施の形態１〜４に係る目標検出方法のＣＦＡＲ処理後の検出目標イメージの例である。
【図４】この発明の実施の形態１に係る目標検出方法の具体的処理フローの例である。
【図５】この発明の実施の形態２に係る目標検出方法の構成、処理イメージを示す図である。
【図６】この発明の実施の形態２に係る目標検出方法の具体的処理フローの例である。
【図７】この発明の実施の形態３に係る目標検出方法の構成、処理イメージを示す図である。
【図８】この発明の実施の形態３に係る目標検出方法の具体的処理フローの例である。
【図９】この発明の実施の形態４に係る目標検出方法の構成、処理イメージを示す図である。
【図１０】この発明の実施の形態４に係る目標検出方法の具体的処理フローの例である。
【図１１】従来の目標検出方法の構成、処理イメージを示す図である。
【発明を実施するための形態】
【００１０】
実施の形態１．
図１を元に発明を実施するための形態を説明する。
【００１１】
図１に示すように、目標検出装置はアンテナ部２１、送受信部２２、ディジタルパルス圧縮処理２３、ＤＢＳ処理２４と、例えばＣＦＡＲなどの目標検出アルゴリズム１１と、距離方向の広がりに基づいて目標であるか否かを選定する誤検出抑制アルゴリズム１３とが設けられている。
【００１２】
つぎに、この実施の形態１に係る目標検出方法について図１〜図４を参照しながら説明する。
【００１３】
図１において、アンテナ部２１から照射された電波が目標で反射し、アンテナ部２１に到達する。送受信部２２で生成された受信信号にディジタルパルス圧縮処理２３、ＤＢＳ処理２４を実施し信号処理結果を出力する。
【００１４】
図２はディジタルパルス圧縮処理及びＤＢＳ処理を実施した後の信号処理結果（画像イメージ）の一例である。信号処理実施時に誤差が含まれると、目標の検出情報が距離方向ならびにドップラ周波数方向への広がりが生じる。これにより、目標を検出することが難しく誤検出してしまう場合がある。
【００１５】
次に、信号処理結果に対し、目標検出アルゴリズム１１により目標検出を行う。
例えばＣＦＡＲであれば、検出用のリファレンスセルに対して、これらの中心セルの電力レベルがしきい値以上である場合に、その中心セルに目標が存在すると判定し、検出処理を実施する。
【００１６】
このような検出処理を行うとき、真の目標が複数あり、それぞれの真目標のセルに対して、距離、ドップラ（角度）方向に広がりがあるような場合、真目標が存在するセル以外にも、これらがクロスするセルをすべて目標として検出し、誤検出してしまう。
図３はＣＦＡＲ処理後の検出目標のイメージである。このようにＣＦＡＲ処理により検出された目標が表示されるが（図３の例では点Ａ、Ｂ、Ｃの３点）、距離方向ならびにドップラ周波数方向の広がりに起因して、真の目標（点Ａ、点Ｂ）のほか、誤った目標（点Ｃ）を検出してしまう問題がある。
【００１７】
実施の形態１に係る目標検出方法においては、誤検出抑制アルゴリズム１３により、距離方向の広がり量を求め、その中心近傍に真の目標が存在するものとし、広がり中心近傍にないものは目標が存在せず誤検出目標として判定する。
【００１８】
図４は、実施の形態１における誤検出抑制アルゴリズム１３の具体的処理フローを説明する図である。以下では、図４の処理フローに従いこの処理内容を説明する。
【００１９】
（１）目標検出アルゴリズム１１により検出した目標のうち、１つに着目する（Ｓ１０１）。
（２）検出した目標の距離方向の広がりを調べる。具体的には、距離方向の広がりの開始セルと終了セルを検出する（Ｓ１０２）。
（３）Ｓ１０２で検出した開始セルと終了セルに基づき、その中心となる中心セルを求める（Ｓ１０３）。
（４）次に、目標の位置が距離方向の広がりの中心セルの近傍であるか否かを判定する（Ｓ１０４）。ここで、中心セルの近傍である場合、検出した目標は真の目標であると判断し、Ｓ１０６へ移行する。
一方、中心セルの近傍でない場合は、検出した目標は誤った目標であると判断し、Ｓ１０５へ移行する。
（５）誤検出として検出した目標を削除する（Ｓ１０５）。
（６）検出した目標をすべて確認するまで、Ｓ１０１以降のフローを繰り返し実行する（Ｓ１０６）。
【００２０】
このように実施の形態１に係る目標検出方法においては、広がり中心近傍ではないクロス点上の検出目標は誤検出として判断する。
これにより、目標の検出精度の向上を図ることができる。
【００２１】
なお、この処理を実施するためにディジタルパルス圧縮処理２３とＤＢＳ処理２４の処理の順序は問わず、どちらを先に処理しても構わない。
【００２２】
実施の形態２．
図５、６をもとに、実施の形態２に係る目標検出方法について説明する。
【００２３】
図５に示すように、目標検出装置はアンテナ部２１、送受信部２２、ディジタルパルス圧縮処理２３、ＤＢＳ処理２４と目標検出方法として距離方向の広がりの特徴量に基づいた検出処理を実施する距離広がり中心による目標検出アルゴリズム１４とが設けられている。なお、以下の実施の形態の説明では同じ構成要素には同一番号を付する。
【００２４】
実施の形態２に係る目標検出方法においては、距離方向の広がりが、パルス圧縮用の符号のサイドローブ符号長に起因するなどのようにその広がり量が予測できれば、距離方向の広がりの中心に存在する目標が真の目標からの反射と考えられるため、その広がり範囲を基準に検出処理を行い、広がりの中心セルを検出目標とする。
【００２５】
また、不連続な広がりに対しても同様の処理を実施することでクロス点に存在する偽像からの誤検出を排除可能となる。
【００２６】
図６は、実施の形態２に係る目標検出アルゴリズム１４の具体的処理フローを説明する図である。以下では、図６の処理フローに従いこの処理内容を説明する。
【００２７】
（１）距離方向のセル列に着目する（Ｓ２０１）。
（２）次に、距離方向に広がりがあるか否かを判定する（Ｓ２０２）。ここで、距離方向に広がりがない場合、Ｓ２０６に移行する。
距離方向に広がりがある場合、次のＳ２０３に移る。
（３）Ｓ２０３においては、距離方向の広がりを調べる。具体的には、距離方向の広がりの開始セルと終了セルを検出する（Ｓ２０３）。
（４）Ｓ２０３で検出した開始セルと終了セルに基づき、その中心となる中心セルを求める（Ｓ２０４）。
（５）中心セルを、真の目標と判断する（Ｓ２０５）。
（６）距離方向のセル列すべて確認するまでドップラ方向にずらしながら繰り返し実行する（Ｓ２０６）。
【００２８】
このように、実施の形態１の目標検出方法では、従来からの方式により目標検出をした結果から誤検出を抑制し、検出精度の向上を図っていたが、実施の形態２に係る目標検出方法では距離広がり中心セルを目標とする目標検出を行うことで検出精度の向上が可能となる。
【００２９】
なお、この処理を実施するのにディジタルパルス圧縮処理２３、ＤＢＳ処理２４の処理の順序は問わない。
【００３０】
また、不連続な広がりに対処するため、予測広がり量に範囲を設け、これを基準に上記の処理を行うことも可能である。
【００３１】
実施の形態３．
図７、８をもとに、実施の形態３に係る目標検出方法について説明する。
【００３２】
図７に示すように、目標検出装置はアンテナ部２１、送受信部２２、ディジタルパルス圧縮処理２３、ＤＢＳ処理２４と目標検出方法として距離方向の広がりの特徴量に基づいた検出処理を実施する距離広がり中心による目標検出アルゴリズム１４と、距離広がり中心近傍の電力レベルに基づいた検出処理を実施する電力レベルによる目標検出アルゴリズム１５とが設けられている。
【００３３】
実施の形態３に係る目標検出方法は、実施の形態２では距離方向の広がり中心セルを目標として検出したが、さらにその中心セル近傍において、最も電力レベルの高いセルを真の目標として検出する。
【００３４】
図８は、実施の形態３に係る目標検出アルゴリズム１４と、電力レベルによる目標検出アルゴリズム１５の具体的処理フローを説明する図である。以下では、図８の処理フローに従いこの処理内容を説明する。
【００３５】
（１）距離方向のセル列に着目する（Ｓ３０１）。
（２）次に、距離方向に広がりがあるか否かを判定する（Ｓ３０２）。ここで、距離方向に広がりがない場合、Ｓ３０６に移行する。距離方向に広がりがある場合はＳ３０３に移行する。
（３）Ｓ３０３においては、距離方向の広がりを調べる。具体的には、距離方向の広がりの開始セルと終了セルを検出する（Ｓ３０３）。
（４）Ｓ３０３で検出した開始セルと終了セルに基づき、その中心となる中心セルを求める（Ｓ３０４）。
（５）中心セル近傍の最も電力レベルの高いセルを、真の目標と判断する（Ｓ３０５）。
（６）距離方向のセル列すべて確認するまでドップラ方向にずらしながら繰り返し実行する（Ｓ３０６）。
【００３６】
不連続な広がりがある場合には、予測していた距離広がりの端が欠落することなどが考えられ、実施の形態２の目標検出方法のように距離方向の広がりの中心セルを目標として検出すると数セル分の誤差が含まれてしまうが、中心セル近傍の電力レベルの高いセルを目標として検出することで、本来の目標が存在するセルを選択でき、検出精度の向上が可能である。
【００３７】
なお、この処理を実施するのにディジタルパルス圧縮処理２３、ＤＢＳ処理の処理２４の順序は問わない。
【００３８】
また、不連続な広がりに対処するため、予測広がり量に範囲を設け、これを基準に上記の処理を行うことも可能である。
【００３９】
実施の形態４．
図９、１０をもとに、実施の形態４に係る目標検出方法について説明する。
【００４０】
図９に示すように、目標検出装置はアンテナ部２１、送受信部２２、ディジタルパルス圧縮処理２３、ＤＢＳ処理２４と目標検出方法として距離方向の広がりの特徴量に基づいた検出処理を実施する距離広がり中心による目標検出アルゴリズム１４と、距離広がり中心近傍のドップラ広がりに基づいた検出処理を実施するドップラ広がりによる目標検出アルゴリズム１６とが設けられている。
【００４１】
実施の形態４に係る目標検出方法は、実施の形態３の目標検出方法では検出した距離方向の広がり中心セルの近傍にある電力レベル最大セルを目標として検出していたが、距離方向の広がり中心のセル近傍にてドップラ方向にも広がりのあるセルを探索し、このクロス点のセルを真の目標として検出する。
【００４２】
図１０は、実施の形態４に係る距離広がり中心による目標検出アルゴリズム１４と、ドップラ広がりによる目標検出アルゴリズム１６の具体的処理フローを説明する図である。以下では、図１０の処理フローに従いこの処理内容を説明する。
【００４３】
（１）距離方向のセル列に着目する（Ｓ４０１）。
（２）次に、距離方向に広がりがあるか否かを判定する（Ｓ４０２）。ここで、距離方向に広がりがない場合、Ｓ４０７に移行する。距離方向に広がりがある場合、Ｓ４０３に移る。
（３）Ｓ４０３においては、距離方向の広がりを調べる。具体的には、距離方向の広がりの開始セルと終了セルを検出する（Ｓ４０３）。
（４）Ｓ４０３で検出した開始セルと終了セルに基づき、その中心となる中心セルを求める（Ｓ４０４）。
（５）距離方向の広がり上にあるドップラ方向の広がりを調べる（Ｓ４０５）。
（６）次に、中心セルの最も近いクロス点セルを検出目標とする（Ｓ４０６）。
（７）距離方向のセル列すべて確認するまでドップラ方向にずらしながら繰り返し実行する（Ｓ４０７）。
【００４４】
ＤＢＳ処理等の誤差に起因してドップラ方向にも広がりが発生してしまうような場合には、実施例２のように距離方向の広がりの中心セルを目標として検出するよりも、距離方向広がりの中心セル近傍でドップラ方向の広がりとクロスするセルを用いることで検出精度の向上が可能である。
【００４５】
また、実施の形態３における電力レベルによる目標検出アルゴリズム１５との組合せにより、さらに精度の向上も可能である。
【００４６】
なお、この処理を実施するのにディジタルパルス圧縮処理２３、ＤＢＳ処理の処理２４の順序は問わない。
【００４７】
また、不連続な広がりに対処するため、予測広がり量に範囲を設け、これを基準に上記の処理を行うことも可能である。
【符号の説明】
【００４８】
１１  目標検出アルゴリズム、１３  誤検出抑制アルゴリズム、１４  距離広がり中心による目標検出アルゴリズム、１５  電力レベルによる目標検出アルゴリズム、１６  ドップラ広がりによる目標検出アルゴリズム、２１  アンテナ部、２２  送受信部、２３  ディジタルパルス圧縮処理、２４  ＤＢＳ処理。
【図１】
0006051575.tif 000002
【図２】
0006051575.tif 000003
【図３】
0006051575.tif 000004
【図４】
0006051575.tif 000005
【図５】
0006051575.tif 000006
【図６】
0006051575.tif 000007
【図７】
0006051575.tif 000008
【図８】
0006051575.tif 000009
【図９】
0006051575.tif 000010
【図１０】
0006051575.tif 000011
【図１１】
0006051575.tif 000012